(57)【特許請求の範囲】
【請求項１】
内容物を収容する収容部が形成された第１の袋と、
前記第１の袋に固定され、保形用物質を充填する充填部が形成された第２の袋と、
前記第２の袋を前記第１の袋に固定する固定部と、を備え、
前記第１の袋は、内面及び外面を有する第１フィルムを含み、前記第１フィルムの対向する前記内面同士は、前記収容部を画成するよう部分的に接合されており、
前記第１フィルムは、前記第１の袋の表面を構成する表面第１フィルム、前記第１の袋の裏面を構成する裏面第１フィルム、及び、前記第１の袋の底面を構成する底面第１フィルムを含み、前記底面第１フィルムは、折り返し部で折り返された状態で、前記表面第１フィルムと前記裏面第１フィルムとの間に配置されており、
前記第２の袋は、内面及び外面を有する第２フィルムを含み、
前記第２フィルムは、前記第２フィルムの対向する前記内面同士が接合されているシール部と、前記第２フィルムの対向する前記内面の間に前記充填部を画成する非シール部と、を含み、
前記第２の袋の前記シール部は、前記第２の袋の前記充填部を挟んで対向する一対の端部に位置する一対の端部シール部を含み、前記一対の端部シール部の一方は、前記第１の袋の底面側に位置しており、
前記固定部は、前記第２の袋の前記一対の端部シール部のうち前記充填部を挟んで対向する部分の前記外面を、前記第１の袋の前記表面第１フィルムの前記外面に結合させている、袋体。
【請求項２】
前記第２の袋の前記充填部は、長手方向に延びる細長形状を有し、
前記長手方向は、前記第１の袋の外縁が延びる方向に略平行である、請求項１に記載の袋体。
【請求項３】
前記第２の袋の前記充填部は、長手方向に延びる細長形状を有し、
前記長手方向は、前記第１の袋の外縁が延びる方向に対して傾いている、請求項１に記載の袋体。
【請求項４】
前記第２の袋の前記充填部は、長手方向に延びる細長形状を有し、
前記保形用物質が充填されている状態における、前記充填部のうち前記長手方向の中間に位置する部分の幅は、前記端部シール部の幅よりも小さい、請求項１乃至３のいずれか一項に記載の袋体。
【請求項５】
前記第２の袋の前記充填部は、長手方向に延びる細長形状を有する、請求項１に記載の袋体。
【請求項６】
前記第２の袋の前記充填部は、長手方向に延びる細長形状を有し、
前記第２の袋の外縁は、前記長手方向に沿って延びる一対の側縁を含み、
前記一対の側縁のうち前記第１の袋の前記収容部の中心寄りに位置する側縁は、前記第２フィルムの前記非シール部によって構成されている、請求項１乃至５のいずれか一項に記載の袋体。
【発明の詳細な説明】
【技術分野】
【０００１】
本発明は、内容物を収容する収容部が形成された第１の袋を備える袋体に関する。
【背景技術】
【０００２】
液体や粉体などの流動性を有する内容物を収容するための袋として、軟包装材から構成された袋が用いられている。流動性物質を収容するための袋は、例えば、内側の面が熱可塑性樹脂層で構成された表面フィルムおよび裏面フィルムを熱溶着して、側縁シール部や下縁シール部などのシール部を形成することによって得られる。側縁シール部や下縁シール部などによって囲まれた収容部には内容物が充填され、その後、再び熱溶着を実施することによって収容部が密封され、このようにして、内容物が収容された袋が得られる。
【０００３】
また、表面フィルムおよび裏面フィルムの底部に、折り込まれたフィルム（底面フィルム）を挟み、この状態で上述の熱溶着を実施することによって、いわゆる底ガセット式の自立袋を作製することも知られている。
【０００４】
しかしながら、軟包装材から構成された袋においては、プラスチック製の容器に比べて、その強度、例えば剛性が低い。このため、軟包装材から構成された上述の自立袋などは、陳列されている間に折れ曲がることがある。また自立袋から内容物を注出するときに袋が折れ曲がってしまい、これによって注出作業が困難になってしまうことも考えられる。このような折れ曲がりは一般に、袋に充填される内容物の体積が大きくなるほど生じやすくなる。またスパウトなどの注出用の器具が別個に袋に取り付けられる場合、スパウトの重量に起因して袋の折れ曲がりが生じやすくなることも考えられる。
【０００５】
このような課題を考慮して、例えば特許文献１，２などにおいて、上下方向に延びるとともに高圧気体が充填された気体充填部を袋に設けることが提案されている。このような袋においては、気体の圧力によって気体充填部の表面に張りを持たせることができるため、袋が折れ曲がってしまうことを抑制することができ、これによって、袋の自立性や保形性を高めることができる。
【先行技術文献】
【特許文献】
【０００６】
【特許文献１】特開２００６−１２３９３１号公報
【特許文献２】特開２００９−１２８００号公報
【発明の概要】
【発明が解決しようとする課題】
【０００７】
特許文献１，２に記載の袋においては、収容部に内容物を充填し、その後に収容部を密封する工程、及び、気体充填部に高圧気体を充填し、その後に気体充填部を密封する工程を、１つの袋に対して実施するので、製造工程が煩雑になる。
【０００８】
本発明は、このような課題を考慮してなされたものであり、保形性を有し、且つ製造適性に優れた袋体を提供することを目的とする。
【課題を解決するための手段】
【０００９】
本発明は、内容物を収容する収容部が形成された第１の袋と、前記第１の袋に固定され、保形用物質を充填する充填部が形成された第２の袋と、前記第２の袋を前記第１の袋に固定する固定部と、を備え、前記第１の袋は、内面及び外面を有する第１フィルムを含み、前記第１フィルムの対向する前記内面同士は、前記収容部を画成するよう部分的に接合されており、前記第２の袋は、内面及び外面を有する第２フィルムを含み、前記第２フィルムは、前記第２フィルムの対向する前記内面同士が接合されているシール部と、前記第２フィルムの対向する前記内面の間に前記充填部を画成する非シール部と、を含み、前記固定部は、前記第１の袋の前記第１フィルムの前記外面の一部と、前記第２の袋の前記第２フィルムの前記外面の一部とを結合させている、袋体である。
【００１０】
本発明による袋体において、前記第２の袋の前記充填部は、長手方向に延びる細長形状を有し、前記長手方向は、前記第１の袋の外縁が延びる方向に略平行であってもよい。若しくは、前記第２の袋の前記充填部は、長手方向に延びる細長形状を有し、前記長手方向は、前記第１の袋の外縁が延びる方向に対して傾いていてもよい。
【００１１】
本発明による袋体において、前記第２の袋の前記充填部は、長手方向に延びる細長形状を有し、前記第２の袋の前記シール部は、前記長手方向における前記第２の袋の一対の端部に位置する一対の端部シール部を含み、前記保形用物質が充填されている状態における、前記充填部のうち前記長手方向の中間に位置する部分の幅は、前記端部シール部の幅よりも小さくなっていてもよい。
【００１２】
本発明による袋体において、前記第２の袋の前記充填部は、長手方向に延びる細長形状を有し、前記第２の袋の前記シール部は、前記第２の袋の前記長手方向における一対の端部に位置する一対の端部シール部を含み、前記一対の端部シール部の前記外面が、前記固定部によって前記第１の袋の前記第１フィルムの前記外面に結合されていてもよい。
【００１３】
本発明による袋体において、前記第２の袋の前記充填部は、長手方向に延びる細長形状を有し、前記第２の袋の外縁は、前記長手方向に沿って延びる一対の側縁を含み、前記一対の側縁のうち前記第１の袋の前記収容部の中心寄りに位置する側縁は、前記第２フィルムの前記非シール部によって構成されていてもよい。
【発明の効果】
【００１４】
本発明による袋体は、内容物を収容する収容部が形成された第１の袋と、第１の袋に固定され、保形用物質を充填する充填部が形成された第２の袋と、を備える。このため、第２の袋を利用して、第１の袋の保形性を高めることができる。また、第１の袋とは別個に第２の袋を作製したり第２の袋に保形用物質を充填したりすることができるので、製造適性に優れる。
【図面の簡単な説明】
【００１５】
【図１】本発明の実施の形態における袋体を示す斜視図である。
【図２Ａ】本発明の実施の形態における袋体を示す正面図である。
【図２Ｂ】本発明の実施の形態における袋体を示す背面図である。
【図３】図２Ａに示す袋体をIII−III線に沿って見た場合を示す断面図である。
【図４】袋体の第１の袋を構成する第１フィルムの層構成を示す断面図である。
【図５】袋体の第２の袋を構成する第２フィルムの層構成を示す断面図である。
【図６】保形用物質が充填される前の第２の袋を示す正面図である。
【図７】保形用物質が充填された後の第２の袋を示す正面図である。
【図８】袋体が手で把持されている様子を示す図である。
【図９】本発明の実施の形態の第１変形例における袋体を示す正面図である。
【図１０】本発明の実施の形態の第２変形例における袋体を示す背面図である。
【図１１】本発明の実施の形態の第３変形例における袋体を示す正面図である。
【図１２Ａ】本発明の実施の形態の第４変形例における袋体を示す正面図である。
【図１２Ｂ】本発明の実施の形態の第４変形例における袋体を示す背面図である。
【図１３】図１２Ａに示す袋体をXIII−XIII線に沿って見た場合を示す断面図である。
【図１４】第４変形例における袋体の固定部の一変形例を示す断面図である。
【図１５】第４変形例における袋体の固定部の一変形例を示す正面図である。
【図１６】第４変形例における袋体の固定部の一変形例を示す正面図である。
【図１７】本発明の実施の形態の第５変形例における袋体を示す正面図である。
【図１８】本発明の実施の形態の第６変形例における袋体を示す正面図である。
【図１９】本発明の実施の形態の第７変形例における袋体を示す正面図である。
【図２０Ａ】本発明の実施の形態の第８変形例における袋体を示す正面図である。
【図２０Ｂ】本発明の実施の形態の第８変形例における袋体を示す背面図である。
【図２１】本発明の実施の形態の第９変形例における袋体を示す正面図である。
【発明を実施するための形態】
【００１６】
以下、図１乃至図８を参照して、本発明の一実施の形態について説明する。なお、本件明細書に添付する図面においては、図示と理解のしやすさの便宜上、縮尺および縦横の寸法比等を、実物のそれらから適宜変更し誇張してある。
【００１７】
また、本明細書において用いる、形状や幾何学的条件並びにそれらの程度を特定する、例えば、「直交」、「同一」等の用語や長さや角度の値等については、厳密な意味に縛られることなく、同様の機能を期待し得る程度の範囲を含めて解釈することとする。
【００１８】
袋体
図１は、本実施の形態による袋体１０を示す斜視図である。袋体１０は、内容物を収容する収容部２２が形成された第１の袋２０と、第１の袋２０に固定された第２の袋４０と、を備える。第２の袋４０は、第１の袋２０の保形性を向上させるために、後述する固定部６０によって第１の袋２０に固定されている。第２の袋４０は、第１の袋２０よりも小さな寸法を有する袋である。例えば、第２の袋４０の面積は、第１の袋２０の面積の３０％以下である。
【００１９】
第２の袋４０には、保形用物質を充填する充填部４２が形成されている。保形用物質は、第２の袋４０の保形性を高めるために第２の袋４０に充填される物質であり、気体、紛体、粒体、液体などである。第２の袋４０に充填される物質の例としては、空気、水等を挙げることができる。また、第２の袋４０は、使用者が第１の袋２０から内容物を注出する際に使用者が把持する把持部としても機能する。
【００２０】
流動性を有する限りにおいて、第１の袋２０の収容部２２に収容される内容物が特に限られることはない。例えば、収容部２２に収容されている内容物として、酒、液体洗剤やシャンプー等の液体、豆類や菓子等の粒体や、粉末洗剤等の粉体を挙げることができる。
【００２１】
（第１の袋）
以下、第１の袋２０及び第２の袋４０について、図１乃至図３を参照して詳細に説明する。図２Ａは、袋体１０を第１の袋２０の表面側から見た場合を示す正面図であり、図２Ｂは、袋体１０を第１の袋２０の裏面側から見た場合を示す背面図である。また、図３は、図２Ａに示す袋体１０をIII−III線に沿って見た場合を示す断面図である。
【００２２】
第１の袋２０は、自立可能に構成された底ガセット式の袋である。第１の袋２０は、内面及び外面を有する第１フィルムを含む。第１の袋２０は、第１フィルムの対向する内面同士を、収容部２２を画成するよう部分的に接合することによって構成されている。第１フィルムは、第１の袋２０の表面を構成する表面第１フィルム３１、第１の袋２０の裏面を構成する裏面第１フィルム３２、及び、第１の袋２０の底面を構成する底面第１フィルム３３を含む。底面第１フィルム３３は、折り返し部３３ｃで折り返された状態で、表面第１フィルム３１と裏面第１フィルム３２との間に配置されている。
【００２３】
なお、上述の「表面第１フィルム」、「裏面第１フィルム」及び「底面第１フィルム」という用語は、第１の袋２０の外面の位置関係に応じて、第１の袋２０を構成する第１フィルムを区画したものに過ぎず、第１の袋２０を製造する際の第１フィルムの提供方法が、上述の用語によって限定されることはない。例えば、第１の袋２０は、表面第１フィルム３１と裏面第１フィルム３２と底面第１フィルム３３が連設された１枚のフィルムを用いて製造されてもよく、表面第１フィルム３１と底面第１フィルム３３が連設された１枚のフィルムと１枚の裏面第１フィルム３２の計２枚のフィルムを用いて製造されてもよく、１枚の表面第１フィルム３１と１枚の裏面第１フィルム３２と１枚の底面第１フィルム３３の計３枚のフィルムを用いて製造されてもよい。
【００２４】
第１の袋２０の外縁は、上縁２３と、上縁２３に対向する下縁２４と、互いに対向する第１側縁２５及び第２側縁２６と、を含む。第１側縁２５及び第２側縁２６は、下縁２４から上縁２３へ向かって延びている。上縁２３と第１側縁２５との間の角部には、スパウト２８が設けられている。第１の袋２０の高さＷ１は、幅Ｗ２よりも長くなっている。
【００２５】
以下の説明において、第１の袋２０の外縁のうち第２の袋４０に最も近接する外縁が延びる方向を、第１方向Ｄ１と称する。本実施の形態において、第１方向Ｄ１は、第２側縁２６が延びる方向である。
【００２６】
スパウト２８は、収容部２２に収容されている内容物が注出される際に通る注出口部として機能する。スパウト２８は、図１に示すように、例えば、中空状の筒部２８ａと、筒部２８ａに接続された接着部２８ｂと、を含んでいる。接着部２８ｂは、後述する角部シール部２７によって、第１の袋２０の表面第１フィルム３１及び裏面第１フィルム３２に対して固定される。筒部２８ａには、筒部２８ａの上端の開口を塞ぐためのキャップ２８ｃが取り付けられていてもよい。このようなスパウト２８を設けることにより、注出の際の流量を安定化させたり、再封したりすることが可能である。なお、内容物を注出するための構成要素がスパウト２８に限られることはない。例えば、上縁２３と第１側縁２５との間の角部や上縁２３に、第１フィルムによって構成される注出口を設けてもよい。
【００２７】
第１の袋２０を構成する第１フィルムは、第１フィルムの対向する内面同士が接合されているシール部と、第１フィルムの対向する内面の間に収容部２２を画成する非シール部と、に区画される。本願において、図２Ａ、図２Ｂなどの正面図及び背面図においては、第１フィルムのシール部及び後述する第２フィルムのシール部にハッチングが施されている。
【００２８】
収容部２２を外部から密封することができる限りにおいて、シール部を形成するための方法が特に限られることはない。例えば、加熱などによって第１フィルムの内面を構成する層を溶融させて、第１フィルムの内面同士を溶着させることによって、シール部を形成してもよい。若しくは、接着剤などを用いて第１フィルムの内面同士を接着することによって、シール部を形成してもよい。
【００２９】
図１乃至図２Ｂに示すように、第１フィルムのシール部は、上縁２３に沿って延びる上縁シール部２３ａ、下縁２４に沿って延びる下縁シール部２４ａ、第１側縁２５に沿って延びる第１側縁シール部２５ａ、第２側縁２６に沿って延びる第２側縁シール部２６ａ、及び、上縁シール部２３ａと第１側縁シール部２５ａとの間に位置し、スパウト２８が設けられる角部シール部２７を含む。上縁シール部２３ａ、第１側縁シール部２５ａ、第２側縁シール部２６ａ、角部シール部２７は、表面第１フィルム３１の内面と裏面第１フィルム３２の内面とを接合することによって構成されるシール部である。例えば図３には、第１の袋２０の第２側縁２６において表面第１フィルム３１の内面３１ｂと裏面第１フィルム３２の内面３２ｂとが接合されて第２側縁シール部２６ａが構成される様子が示されている。下縁シール部２４ａは、表面第１フィルム３１の内面と底面第１フィルム３３の内面とを接合し、且つ、裏面第１フィルム３２の内面と底面第１フィルム３３の内面とを接合することによって構成されるシール部である。
【００３０】
（第２の袋）
以下、第１の袋２０及び第２の袋４０について詳細に説明する。図１乃至図２Ｂに示すように、第２の袋４０は、長手方向Ｄ２に延びる細長形状を有する。例えば、第２の袋４０の外縁の形状は、矩形状である。本実施の形態において、長手方向Ｄ２は、第２の袋４０に最も近接する第１の袋２０の第２側縁２６が延びる方向である第１方向Ｄ１に略平行である。なお、「略平行」とは、第１方向Ｄ１と長手方向Ｄ２とが成す角度の絶対値が１０°未満であることを意味する。
【００３１】
なお、第２の袋４０に最も近接する外縁が、上下方向に延びる第１側縁２５又は第２側縁２６である場合、第２の袋４０が延びる長手方向Ｄ２と、第１側縁２５又は第２側縁２６が延びる第１方向Ｄ１とが成す角度の絶対値を１０°以下にすることは、第１の袋２０の自立性や保形性を高めやすくするという効果ももたらし得る。
【００３２】
第２の袋４０は、内面及び外面を有する第２フィルムを含む。第２の袋４０も、第１の袋２０と同様に、第２フィルムの内面同士を、充填部４２を画成するよう部分的に接合することによって構成されている。第２フィルムは、第２の袋４０の表面を構成する表面第２フィルム５１、及び、第２の袋４０の裏面を構成する裏面第２フィルム５２を含む。第２の袋４０は、その裏面が第１の袋２０の表面に対向するよう、第１の袋２０に固定されている。
【００３３】
なお、第１の袋２０の場合と同様に、上述の「表面第２フィルム」及び「裏面第２フィルム」という用語は、第２の袋４０の外面の位置関係に応じて、第２の袋４０を構成する第２フィルムを区画したものに過ぎず、第２の袋４０を製造する際の第２フィルムの提供方法が、上述の用語によって限定されることはない。
【００３４】
第２の袋４０の外縁は、長手方向Ｄ２における一対の端部である第１端部４３及び第２端部４４と、長手方向Ｄ２に沿って延びるとともに互いに対向する第１側縁４５及び第２側縁４６と、を含む。第２側縁４６は、第１の袋２０の外縁のうち第２の袋４０に最も近接する外縁である第２側縁２６に対向している。本実施の形態においては、第２側縁４６が第１の袋２０の第２側縁シール部２６ａに重なるように、第２の袋４０が第１の袋２０に固定されている。
【００３５】
第１側縁４５は、第２側縁４６よりも第１の袋２０の第２側縁２６から遠くに位置する。言い換えると、第１側縁４５は、第２側縁４６よりも第１の袋２０の収容部２２の中心寄りに位置する。「中心寄り」とは、第１側縁４５から収容部２２の中心までの距離が、第２側縁４６から収容部２２の中心までの距離よりも小さいことを意味する。
【００３６】
第２の袋４０を構成する第２フィルムは、第２フィルムの対向する内面同士が接合されているシール部と、第２フィルムの対向する内面の間に充填部４２を画成する非シール部と、に区画される。充填部４２を外部から密封することができる限りにおいて、シール部を形成するための方法が特に限られることはない。例えば、加熱などによって第２フィルムの内面を構成する層を溶融させて、第２フィルムの内面同士を溶着させることによって、シール部を形成してもよい。若しくは、接着剤などを用いて第２フィルムの内面同士を接着することによって、シール部を形成してもよい。
【００３７】
図１乃至図２Ｂに示すように、第２フィルムのシール部は、第１端部４３に沿って延びる第１端部シール部４３ａ、第２端部４４に沿って延びる第２端部シール部４４ａ、及び、第２側縁４６に沿って延びる第２側縁シール部４６ａを含む。第１端部シール部４３ａ、第２端部シール部４４ａ及び第２側縁シール部４６ａはいずれも、表面第２フィルム５１の内面と裏面第２フィルム５２の内面とを接合することによって構成されるシール部である。例えば図３には、第２の袋４０の第２側縁４６において表面第２フィルム５１の内面５１ｂと裏面第２フィルム５２の内面５２ｂとが接合されて第２側縁シール部４６ａが構成される様子が示されている。
【００３８】
第２の袋４０の第１側縁４５は、非シール部によって構成されている。第１側縁４５は、後述するように、使用者が袋体１０を把持する際に使用者の指が接触する部分である。第１側縁４５を非シール部によって構成することにより、使用者の手に対する第２の袋４０の接触感を良好なものとすることができる。また、第２の袋４０の第１側縁４５によって使用者の手が傷ついてしまうことを抑制することができる。
【００３９】
（固定部）
以下、第２の袋４０を第１の袋２０に固定する固定部６０について、図１乃至図３を参照して詳細に説明する。
【００４０】
固定部６０は、第１の袋２０の第１フィルムの外面の一部と、第２の袋４０の第２フィルムの外面の一部とを結合させている。固定部６０は、例えば、図３に示すように、第１の袋２０の表面第１フィルム３１の外面３１ａと第２の袋４０の裏面第２フィルム５２の外面５２ａとの間に設けられたホットメルトなどの接着剤である。
【００４１】
図２Ａに、固定部６０が設けられた領域を点線で示す。固定部６０は、好ましくは、第２の袋４０の第１側縁４５側においては第２の袋４０を第１の袋２０に固定しない。これによって、後述するように、使用者は、第１の袋２０と第２の袋４０との間に第１側縁４５から指を挿入することができる。
【００４２】
好ましくは、図２Ａに示すように、第２の袋４０の一対の端部シール部４３ａ，４４ａを構成する裏面第２フィルム５２の外面５２ａを、第１の袋２０の表面第１フィルム３１の外面３１ａに固定している。すなわち固定部６０は、第１端部４３，第２端部４４に沿って設けられている。この場合、使用者が第２の袋４０の第１側縁４５から第２の袋４０と第１の袋２０との間に指を差し入れたときに、第２の袋４０が指を第１の袋２０に向かって押圧するので、第１の袋２０の保持性が向上する。なお、図２Ａに示すように、固定部６０は、第２の袋４０の第２側縁シール部４６ａを構成する裏面第２フィルム５２の外面５２ａを、第１の袋２０の表面第１フィルム３１の外面３１ａに更に固定してもよい。すなわち第１端部４３，第２端部４４，第２側縁４６に沿って固定部６０が設けられていてもよい。
【００４３】
（第１フィルムの層構成）
図４は、第１の袋２０を構成する第１フィルムの表面第１フィルム３１、裏面第１フィルム３２及び底面第１フィルム３３の層構成の一例を示す図である。図４に示すように、裏面第１フィルム３２及び底面第１フィルム３３は、少なくとも基材層３６、シーラント層３７及び機能層３８を含む。図４に示す例においては、基材層３６が、表面第１フィルム３１、裏面第１フィルム３２及び底面第１フィルム３３の外面３１ａ、３２ａ、３３ａを構成している。また、シーラント層３７が、表面第１フィルム３１、裏面第１フィルム３２及び底面第１フィルム３３の内面３１ｂ、３２ｂ、３３ｂを構成している。機能層３８は、基材層３６とシーラント層３７との間に設けられている。シーラント層３７や機能層３８を積層する方法としては、溶融押出法、ドライラミネート法などを挙げることができる。溶融押出法においては、基材層３６や機能層３８の上にシーラント層３７を構成する材料を押し出す。ドライラミネート法においては、基材層３６や予め成膜されたフィルムからなるシーラント層３７や機能層３８を、接着剤を用いて貼り合わせる。
【００４４】
基材層３６には、製品情報を示したり美感を付与したりするための印刷表示が施されていてもよい。印刷表示としては、文字、数字、記号、図形、絵柄などを挙げることができる。基材層３６を構成する材料としては、例えばポリエチレンテレフタレートやポリプロピレンやナイロンを用いることができる。基材層３６によって、外面３１ａ、３２ａ、３３ａにおける高い印刷適性を確保することができる。また、基材層３６は、熱溶着時の高い耐熱性を有している。基材層３６は、一軸または二軸に延伸されていることが好ましい。
【００４５】
シーラント層３７を構成する材料としては、例えば、ポリエチレンやポリプロピレンを用いることができる。
【００４６】
表面第１フィルム３１、裏面第１フィルム３２及び底面第１フィルム３３の厚みは、例えば５０μｍ以上且つ２５０μｍ以下になっている。
【００４７】
機能層３８としては、水蒸気その他のガスバリア性、遮光性、各種の機械的強度など、必要とされる性能に応じて、適切なものが選択され得る。例えば、機能層３８がガスバリア層の場合、酸化アルミニウムなどの金属酸化物や酸化珪素などの無機酸化物の蒸着層などが設けられ得る。その他にも、ガスバリア層として、エチレン−ビニルアルコール共重合体（ＥＶＯＨ）、ポリ塩化ビニリデン樹脂（ＰＶＤＣ）や、ナイロンＭＸＤ６などの芳香族ポリアミドなどの、ガスバリア性を有する樹脂層を設けてもよい。このようなガスバリア層を設けることにより、酸素や水蒸気が第１の袋２０の収容部２２に浸入することを抑制することができる。また、機械的強度を付与するために、機能層３８として、支持体を設けてもよい。支持体としては、基材層３６と同じものを用いることができる。例えば、支持体として、延伸ナイロンフィルムを設けてもよい。この場合、第１の袋２０の耐突き刺し性を高めることができる。
機能層３８は、基材層３６とシーラント層３７の間ではなく、基材層３６のシーラント層３７とは反対側の面に設けられていてもよい。
【００４８】
なお、表面第１フィルム３１、裏面第１フィルム３２及び底面第１フィルム３３の層構成は、上述したものに限定されないことは言うまでもない。例えば、表面第１フィルム３１、裏面第１フィルム３２及び底面第１フィルム３３は、機能層３８を含んでいなくてもよいまた、表面第１フィルム３１、裏面第１フィルム３２及び底面第１フィルム３３の層構成は、同一であってもよく、異なっていてもよい。
【００４９】
（第２フィルムの層構成）
図５は、第２の袋４０を構成する第２フィルムの表面第２フィルム５１及び裏面第２フィルム５２の層構成の一例を示す図である。図５に示すように、表面第２フィルム５１及び裏面第２フィルム５２は、基材層５６及びシーラント層５７を含む。図５に示す例においては、基材層５６が、表面第２フィルム５１及び裏面第２フィルム５２の外面５１ａ、５２ａを構成している。また、シーラント層５７が、表面第２フィルム５１及び裏面第２フィルム５２の内面５１ｂ、５２ｂを構成している。
【００５０】
基材層５６を構成する材料としては、上述の第１フィルムの基材層３６の場合と同様のものを用いることができる。また、シーラント層５７を構成する材料としては、上述の第１フィルムのシーラント層３７の場合と同様のものを用いることができる。シーラント層５７を積層する方法としては、溶融押出法、ドライラミネート法などを挙げることができる。
【００５１】
表面第２フィルム５１及び裏面第２フィルム５２の厚みは、例えば２０μｍ以上且つ２５０μｍ以下になっている。
【００５２】
なお、表面第２フィルム５１及び裏面第２フィルム５２の層構成は、上述したものに限定されないことは言うまでもない。例えば、表面第２フィルム５１及び裏面第２フィルム５２は、基材層５６を含んでいなくてもよい。
【００５３】
なお、上述の第１の袋２０に収容される内容物は、酒、液体洗剤など、消費者が袋体１０を購入する際の目的物である。一方、第２の袋４０に充填される保形用物質は、第２の袋４０の保形性を高めるための物質であり、消費者の目的物ではない。このため、第２の袋４０の表面第２フィルム５１及び裏面第２フィルム５２の構成は、第１の袋２０の表面第１フィルム３１、裏面第１フィルム３２及び底面第１フィルム３３の構成に比べて簡易なものであってよい。
【００５４】
（第２の袋の寸法）
以下、図６及び図７を参照して、第２の袋４０の寸法について説明する。図６は、保形用物質が充填される前（保形用物質が充填されていない状態）の第２の袋４０を示す正面図である。また、図７は、保形用物質が充填された後（保形用物質が充填されている状態）の第２の袋４０を示す正面図である。
【００５５】
なお、図６に示すように、保形用物質が充填される前の第２の袋４０において、第２の袋４０の第１端部４３には、未だ第１端部シール部が形成されていない。第１端部４３を充填口として充填部４２に保形用物質を充填した後に、第１端部４３に沿って第１端部シール部４３ａを形成して充填部４２を密封する。図６においては、後に第１端部４３に沿って形成される第１端部シール部４３ａの内縁が一点鎖線で示されている。以下の説明において、後に第１端部シール部４３ａとなる部分を第１端部シール予定部４３ｂとも称する。この場合、収容部２２の寸法は、既に形成されている第２端部シール部４４ａ及び第２側縁シール部４６ａの内縁、及び、第１端部シール予定部４３ｂの内縁に基づいて算出される。
【００５６】
図６において、長手方向Ｄ２における第２の袋４０の外縁（ここでは第２側縁４６）の寸法が符号Ｌ１Ａで表され、長手方向Ｄ２に直交する幅方向Ｄ３における第２の袋４０の外縁（ここでは第１端部４３）の寸法が符号Ｌ２Ａで表されている。Ｌ１Ａ／Ｌ２Ａは、２より大きくなっており、例えば２以上且つ３以下になっている。
【００５７】
図７において、長手方向Ｄ２における第２の袋４０の外縁（ここでは第２側縁４６）の寸法が符号Ｌ１Ｂで表され、幅方向Ｄ３における第２の袋４０の外縁（ここでは第１端部４３）の寸法が符号Ｌ２Ｂで表されている。保形用物質を充填した後の第２の袋４０の寸法Ｌ１Ｂおよび寸法Ｌ２Ｂは、保形用物質を充填する前の第２の袋４０の寸法Ｌ１Ａおよび寸法Ｌ２Ｂと略同一である。すなわち、保形用物質の充填の前後で、袋第２の袋４０の外縁の寸法はほとんど変化しない。
【００５８】
図６において、長手方向Ｄ２における充填部４２の寸法が符号Ｌ３Ａで表され、幅方向Ｄ３における充填部４２の寸法が符号Ｌ４Ａで表されている。寸法Ｌ１Ａ，Ｌ２Ａの場合と同様に、寸法Ｌ３Ａは寸法Ｌ４Ａよりも大きくなっている。例えば、Ｌ３Ａ／Ｌ４Ａは２より大きくなっており、例えば２以上且つ３以下になっている。なお、幅方向Ｄ３における充填部４２の寸法Ｌ４Ａは、図６に示すように、充填部４２のうち長手方向Ｄ２の中間に位置する部分の、幅方向Ｄ３における寸法である。
【００５９】
図７において、長手方向Ｄ２における充填部４２の寸法が符号Ｌ３Ｂで表され、幅方向Ｄ３における充填部４２の寸法が符号Ｌ４Ｂで表されている。寸法Ｌ１Ｂ，Ｌ２Ｂの場合と同様に、寸法Ｌ３Ｂは寸法Ｌ４Ｂよりも大きくなっている。また、寸法Ｌ３Ｂは、５ｃｍ以上且つ１５ｃｍ以下になっており、あるいは、第１の袋２０の高さＷ１以下になっている。なお、寸法Ｌ４Ａと同様に、幅方向Ｄ３における充填部４２の寸法Ｌ４Ｂは、充填部４２のうち長手方向Ｄ２の中間に位置する部分の、幅方向Ｄ３における寸法（幅）である。
【００６０】
本実施の形態において、第２の袋４０の第１側縁４５は、非シール部によって構成されている。このため、図６及び図７に示すように、幅方向Ｄ３において、充填後の充填部４２の寸法Ｌ４Ｂは、充填前の充填部４２の寸法Ｌ４Ａよりも小さくなる。言い換えると、充填部４２に保形用物質を充填すると、平面視における第２の袋４０が、第１端部シール部４３ａと第２端部シール部４４ａとの中間において幅方向Ｄ３で括れた形状を有するようになる。
【００６１】
上述のとおり、幅方向Ｄ３における充填部４２の寸法は、充填部４２に充填用物質を充填することによって小さくなる。従って、充填後の第２の袋４０の寸法Ｌ４Ｂは、充填部４２に充填され得る充填用物質の最大体積に対する、充填部４２に実際に充填された充填用物質の体積の比率（以下、充填部４２の充填率とも称する）を反映していると言える。
【００６２】
充填部４２の充填率が高くなるほど、第２の袋４０の保形性も高くなる。従って、第２の袋４０に十分な保形性を持たせ、これによって第１の袋２０の保形性を十分に高めるためには、充填部４２の充填率が好ましい範囲となるよう第２の袋４０に保形用物質を充填することが求められる。本件発明者らが鋭意研究を重ねたところ、下記の条件（１）を満たすように第２の袋４０に保形用物質を充填することが好ましいことを見出した。
条件（１）：Ｈ／（Ｌ３Ｂ×Ｌ４Ｂ）0.5≧０．１５
なお、符号Ｈは、充填後の第２の袋４０における充填部４２の厚みを表している（図３参照）。好ましくは、高さＨや、上述の寸法Ｌ３Ｂ、Ｌ４Ｂは、第１の袋２０から取り外した第２の袋４０を水平な平面上に載置した状態で測定される。
【００６３】
また、充填後の充填部４２の寸法（幅）Ｌ４Ｂは、第１端部シール部４３ａ又は第２端部シール部４４ａのうち充填部４２に接する部分の、幅方向Ｄ３における寸法（幅）Ｌ５よりも小さくなる。また、充填部４２の充填率が高くなるほど、寸法Ｌ５に対する寸法Ｌ４Ｂの比率が小さくなる。すなわち、充填部４２の充填率は、寸法Ｌ５に対する寸法Ｌ４Ｂの比率にも反映される。好ましくは、下記の条件（２）を満たすように第２の袋４０に保形用物質が充填される。
条件（２）：Ｌ４Ｂ／Ｌ５≦０．９
【００６４】
袋体の製造方法
次に、上述の袋体１０を製造する方法の一例について説明する。
【００６５】
（第１の袋の製造工程）
まず、上述の表面第１フィルム３１、裏面第１フィルム３２、底面第１フィルム３３などの、第１の袋２０を構成するための第１フィルムを準備する。また、スパウト２８を準備する。次に、第１フィルムの対向する内面同士を部分的に接合して上述の下縁シール部２４ａ、第１側縁シール部２５ａ、第２側縁シール部２６ａ及び角部シール部２７を形成することにより、収容部２２が画成された第１の袋２０を得る。このとき、上縁２３には未だ上縁シール部２３ａを形成しない。
【００６６】
その後、上縁２３を充填口として収容部２２に内容物を充填する。次に、上縁シール部２３ａを形成して収容部２２を密封する。このようにして、内容物が収容された第１の袋２０を得ることができる。
【００６７】
（第２の袋の製造工程）
まず、上述の表面第２フィルム５１、裏面第２フィルム５２などの、第２の袋４０を構成するための第２フィルムを準備する。次に、第２フィルムの対向する内面同士を部分的に接合して上述の第２端部シール部４４ａ及び第２側縁シール部４６ａを形成することにより、充填部４２が画成された第２の袋４０を得る。このとき、第１端部４３には未だ第１端部シール部４３ａを形成しない。
【００６８】
その後、第１端部４３を充填口として充填部４２に保形用物質を充填する。次に、第１端部シール部４３ａを形成して充填部４２を密封する。このようにして、保形用物質が充填された第２の袋４０を得ることができる。
【００６９】
（固定工程）
次に、第１の袋２０の第１フィルムの外面の一部と、第２の袋４０の第２フィルムの外面の一部とを結合させる固定工程を実施する。例えば、まず、第２の袋４０の裏面第２フィルム５２の外面５２ａのうち、第１端部シール部４３ａ、第２端部シール部４４ａ及び第２側縁シール部４６ａが形成されている部分に、ホットメルトを塗布する。次に、第２の袋４０の裏面第２フィルム５２の外面５２ａを、第１の袋２０の表面第１フィルム３１の外面３１ａに貼り合わせる。このとき、第２の袋４０の第２側縁４６が第１の袋２０の第２側縁シール部２６ａに重なるように、第２の袋４０の位置合わせを行う。このようにして、第１の袋２０と、第１の袋２０に固定された第２の袋４０とを備える袋体１０を製造することができる。
【００７０】
本実施の形態の効果
以下、本実施の形態による袋体１０によって得られる効果について説明する。
【００７１】
（使用時の効果）
まず、袋体１０を使用する際の効果について説明する。本実施の形態においては、内容物を収容する第１の袋２０に、保形用物質が充填された第２の袋４０が固定されている。このため、第２の袋４０を利用して、第１の袋２０の保形性を高めることができる。例えば、本実施の形態において、第２の袋４０は、その長手方向Ｄ２が第１の袋２０の第２側縁４６が延びる方向（第１方向Ｄ１）に略平行となるよう、第１の袋２０に固定されている。従って、第２の袋４０の剛性の分だけ、第１方向Ｄ１における第１の袋２０の剛性が高くなることが期待される。このため、第１方向Ｄ１における第１の袋２０の保形性を高め、第１の袋２０の自立性を高めることができる。
【００７２】
また、本実施の形態においては、第２の袋４０を利用して第１の袋２０の保形性を高めることにより、使用者が袋体１０を把持する際、袋体１０の形状が崩れにくくなる。このため、使用者が袋体１０を把持し易くなる。
【００７３】
また、本実施の形態において、固定部６０は、第２の袋４０の第２側縁４６を第１の袋２０に固定していない。このため、図８に示すように、使用者が右手７０で袋体１０の第２の袋４０を把持して袋体１０を傾ける際、使用者は、第２の袋４０の裏面第２フィルム５２と第１の袋２０の表面第１フィルム３１との間の隙間に、第２の袋４０の第１側縁４５から右手７０の指を挿入することができる。従って、使用者は、自身が第２の袋４０や第１の袋２０を把持する力だけでなく、第２の袋４０が指に引っ掛かることや、第２の袋４０及び第１の袋２０から指に対して及ぼされる挟圧力を使用して、袋体１０を安定に保持することができる。
【００７４】
また、本実施の形態によれば、第２の袋４０は、その長手方向Ｄ２が第１の袋２０の第２側縁４６が延びる方向（第１方向Ｄ１）に略平行となるよう、第１の袋２０に固定されている。この場合、使用者が第１の袋２０の第２側縁４６側から第１の袋２０及び第２の袋４０を把持する時、使用者は、手のひらを第２側縁４６に接触させることができる。このため、袋体１０をより安定に保持することができる。
【００７５】
また、本実施の形態によれば、使用者の手７０に接触する第１側縁４５を、非シール部によって構成している。このため、使用者の手に対する第２の袋４０の接触感を良好なものとすることができる。また、第２の袋４０の第１側縁４５によって使用者の手が傷ついてしまうことを抑制することができる。
【００７６】
（製造時の効果）
以下、袋体１０を製造する際の効果について説明する。本実施の形態による袋体１０において、第２の袋４０は、第１の袋２０とは別個の袋である。このため、第１の袋２０とは別個に第２の袋４０を作製したり第２の袋４０に保形用物質を充填したりすることができるので、製造適性に優れる。例えば、任意の充填率で第２の袋４０の充填部４２に保形用物質を充填することができる。このことは、第２の袋４０の剛性を高めて第１の袋２０の保形性を向上させる上でも役立つ。
【００７７】
また、本実施の形態によれば、第１の袋２０とは別個に第２の袋４０を作製するので、第２の袋４０を構成する第２フィルムとして、第１の袋２０を構成する第１フィルムとは異なる層構成を有するフィルムを用いることができる。例えば、第２の袋４０を構成する第２フィルムとして、蒸着層などの機能層を含まない、第１フィルムに比べて簡易で安価な層構成のフィルムを用いることができる。このため、上述の特許文献１，２のように袋の一部に気体充填部を設ける場合に比べて、高価なフィルムの使用量を削減して製造コストを低減することができる。
【００７８】
なお、上述した実施の形態に対して様々な変更を加えることが可能である。以下、図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７９】
（第１変形例）
上述の本実施の形態においては、第２の袋４０の第２側縁４６が第１の袋２０の第２側縁シール部２６ａに重なるように、第２の袋４０を第１の袋２０に固定する例を示した。しかしながら、これに限られることはなく、図９に示すように、第２の袋４０全体が第１の袋２０の収容部２２と重なるように、言い換えると第２の袋４０が第１の袋２０のシール部と重ならないように、第２の袋４０を第１の袋２０に固定してもよい。これによって、上述の本実施の形態に比べて、第１の袋２０の第２側縁４６から第２の袋４０の第１側縁４５までの距離を、より長く設定できるようになる。このため、使用者は、右手７０により力が入る状態で袋体１０を保持することができる。
【００８０】
（第２変形例）
上述の本実施の形態においては、第１の袋２０の表面第１フィルム３１側にのみ第２の袋４０が設けられる例を示したが、これに限られることはない。例えば、図１０に示すように、第１の袋２０の裏面第１フィルム３２側にも、第２の袋４０を設けてもよい。なお、本変形例においては、第１の袋２０の表面第１フィルム３１側にも、図９に示す第１変形例の場合と同様に、第２の袋４０が設けられている。
【００８１】
本変形例によれば、使用者は、図示はしないが、第１の袋２０の裏面第１フィルム３２側で第１の袋２０と第２の袋４０との間の隙間に左手の指を挿入して、袋体１０を保持することができる。すなわち、使用者は、右手及び左手のいずれでも袋体１０を保持することができる。また、一方の第２の袋４０を右手の親指で把持し、他方の第２の袋４０を右手の他の指で把持し、右手の手のひらに第１の袋２０の第２側縁２６を接触させて袋体１０を保持することができるため、さらに袋体１０を保持しやすくすることができる。
【００８２】
なお、本変形例においては、第２の袋４０全体が第１の袋２０の収容部２２と重なるように、すなわち第２の袋４０が第２側縁シール部２６ａと重ならないように配置される例を示したが、これに限られることはない。図示はしないが、第１の袋２０の収容部２２及び第２側縁シール部２６ａに跨るように配置される第２の袋４０を、第１の袋２０の表面第１フィルム３１側及び裏面第１フィルム３２側にそれぞれ設けてもよい。
【００８３】
（第３変形例）
上述の本実施の形態においては、第２の袋４０の長手方向Ｄ２が、第２の袋４０に最も近接する第１の袋２０の第２側縁２６が延びる方向である第１方向Ｄ１に略平行である例を示したが、これに限られることはない。図１１に示すように、第２の袋４０の長手方向Ｄ２が、第２の袋４０に最も近接する第１の袋２０の第２側縁２６が延びる方向である第１方向Ｄ１に対して角度θだけ傾くよう、第２の袋４０を第１の袋２０に固定してもよい。角度θの絶対値は、例えば１０°以上且つ７０°以下である。角度θの絶対値を７０°以下にすることにより、第１の袋２０の自立性や保形性を高めやすくすることができる。
【００８４】
第２の袋４０の長手方向Ｄ２を第１の袋２０の第１方向Ｄ１に対して傾けることにより、第１の袋２０を傾けて内容物を注出し易くなる。
【００８５】
（第４変形例）
上述の第２変形例においては、一の第２の袋４０が第１の袋２０の表面第１フィルム３１に固定され、他の第２の袋４０が第１の袋２０の裏面第１フィルム３２に固定される例を示した。本変形例においては、２個の充填部４２が画成された一つの第２の袋４０を用いて、第１の袋２０の表面第１フィルム３１側及び裏面第１フィルム３２側のそれぞれに第２の袋４０の充填部４２を位置付ける例を説明する。
【００８６】
図１２Ａは、本変形例における袋体１０を第１の袋２０の表面側から見た場合を示す正面図であり、図１２Ｂは、本変形例における袋体１０を第１の袋２０の裏面側から見た場合を示す背面図である。また、図１３は、図１２Ａに示す袋体１０をXIII−XIII線に沿って見た場合を示す断面図である。本変形例において、第２の袋４０は、第２側縁シール部４６ａによって分離された２つの充填部４２を有する。なお、図１２Ａ、１２Ｂ及び後述する図１６、１７、１８、２０Ａ、２０Ｂにおいては、第１の袋２０の第２側縁２６の内縁（収容部２２側の縁）２６ｅのうち第２の袋４０に覆われている部分が、点線で描かれている。
【００８７】
第２の袋４０は、一の充填部４２が第１の袋２０の表面第１フィルム３１側に位置し、他の充填部４２が第１の袋２０の裏面第１フィルム３２側に位置するよう、第１の袋２０に固定されている。例えば、図１２Ａに示すように、一の充填部４２を画成する第１端部シール部４３ａ、第２端部シール部４４ａ及び第２側縁シール部４６ａは、固定部６０によって第１の袋２０の表面第１フィルム３１に固定されている。また、図１２Ｂに示すように、他の充填部４２を画成する第１端部シール部４３ａ、第２端部シール部４４ａ及び第２側縁シール部４６ａは、固定部６０によって第１の袋２０の裏面第１フィルム３２に固定されている。
【００８８】
本変形例によれば、第１の袋２０の第２側縁２６を第２の袋４０が覆うように第２の袋４０を第１の袋２０に取り付けるので、第２の袋４０を第１の袋２０に固定し易い。また充填部４２に充填する保形用物質を空気などの気体とする場合、第２側縁シール部４６ａを設けることにより、充填部４２における保形用物質の充填率を高めやすくすることができる。なお、本変形例では第２側縁シール部４６ａを設ける例について説明したが、第２側縁シール部４６ａは設けられていなくてもよい。すなわち、第２の袋４０の第２側縁４６が、非シール部として構成されていてもよい。この場合、袋体１０を保持するときに、手のひらに非シール部が接触するため、使用者の手に対する第２の袋４０の接触感を良好なものとすることができる。
【００８９】
なお、第２の袋４０を第１の袋２０に固定する方法が、第１の袋２０と第２の袋４０との間に固定部６０を設けるという方法に限られることはない。例えば、図１４に示すように、第１の袋２０の第２側縁シール部２６ａに、表面第１フィルム３１及び裏面第１フィルム３２を貫通する貫通孔３０ｃを形成し、この貫通孔３０ｃを介して、第１の袋２０の表面第１フィルム３１側に位置する第２の袋４０の一部と第１の袋２０の裏面第１フィルム３２側に位置する第２の袋４０の一部とを連結することにより、第２の袋４０を第１の袋２０に固定してもよい。例えば、貫通孔３０ｃにホットメルトなどの固定部６０を設けることにより、第１の袋２０の表面第１フィルム３１側に位置する第２の袋４０の一部と第１の袋２０の裏面第１フィルム３２側に位置する第２の袋４０の一部とを連結することができる。あるいは、表面第１フィルム３１側に位置する第２の袋４０の、裏面第２フィルム５２の第２側縁シール部４６ａが形成されている部分の外面５２ａと、裏面第１フィルム３２側に位置する第２の袋４０の、裏面第２フィルム５２の第２側縁シール部４６ａが形成されている部分の外面５２ａとを、貫通孔３０ｃにおいて溶着させることによって、連結することができる。
【００９０】
なお、図１４においては、第１の袋２０の第２側縁シール部２６ａのうち第２の袋４０の第２側縁シール部４６ａと重なる領域に貫通孔３０ｃを形成する例を示したが、貫通孔３０ｃを形成する位置が特に限られることはない。例えば、図１５に示すように、第１の袋２０の第２側縁シール部２６ａのうち第２の袋４０の第２側縁シール部４６ａと重なる領域に貫通孔３０ｃを形成し、この貫通孔３０ｃを介して、第１の袋２０の表面第１フィルム３１側に位置する第２の袋４０と第１の袋２０の裏面第１フィルム３２側に位置する第２の袋４０とを連結してもよい。また、図１６に示すように、第１の袋２０の第２側縁シール部２６ａのうち第２の袋４０の第１端部シール部４３ａや第２端部シール部４４ａと重なる領域に貫通孔３０ｃを形成し、この貫通孔３０ｃを介して、第１の袋２０の表面第１フィルム３１側に位置する第２の袋４０と第１の袋２０の裏面第１フィルム３２側に位置する第２の袋４０とを連結してもよい。
【００９１】
（第５変形例）
上述の本実施の形態においては、第２の袋４０が三方シール袋である例を示した。しかしながら、第２の袋４０のタイプが特に限られることはない。例えば、図１７に示すように、第２の袋４０は、第１端部４３に形成された第１端部シール部４３ａ及び第２端部４４に形成された第２端部シール部４４ａを含むシール部と、を含み、且つ、その第１側縁４５及び第２側縁４６が非シール部として構成されるタイプの袋であってもよい。このような第２の袋４０は、例えば、チューブ状のフィルムの両端にシール部を形成することによって作製される。
【００９２】
本変形例において、固定部６０は、一対の端部シール部４３ａ，４４ａを構成する裏面第２フィルム５２を、第１の袋２０の表面第１フィルム３１に固定する。また、固定部６０は、第２の袋４０の第１側縁４５及び第２側縁４６を第１の袋２０に固定しない。この場合、使用者は、第１の袋２０と第２の袋４０との間に第１側縁４５から指を挿入することができ、また、指を第２側縁４６まで至らせることができる。このため、使用者はより強固に第２の袋４０を把持することができる。また、第１側縁４５及び第２側縁４６がいずれも非シール部として構成されているので、良好な接触感を実現することができる。
【００９３】
（第６変形例）
また、図１８に示すように、第２の袋４０は、いわゆるピロー袋であってもよい。この場合、第２の袋４０のシール部は、第１端部４３に形成された第１端部シール部４３ａと、第２端部４４に形成された第２端部シール部４４ａと、第１端部シール部４３ａから第２端部シール部４４ａに至るよう第２の袋４０の長手方向Ｄ２に沿って延びる合掌シール部４７ａと、を有する。また、第２の袋４０の第１側縁４５及び第２側縁４６は、非シール部として構成されている。
【００９４】
本変形例においても、上述の第５変形例と同様に、固定部６０は、一対の端部シール部４３ａ，４４ａを構成する裏面第２フィルム５２を、第１の袋２０の表面第１フィルム３１に固定する。また、固定部６０は、第２の袋４０の第１側縁４５及び第２側縁４６を第１の袋２０に固定しない。この場合、使用者は、第１の袋２０と第２の袋４０との間に第１側縁４５から指を挿入することができ、また、指を第２側縁４６まで至らせることができる。このため、使用者はより強固に第２の袋４０を把持することができる。また、第１側縁４５及び第２側縁４６がいずれも非シール部として構成されているので、良好な接触感を実現することができる。
【００９５】
（第７変形例）
図１９に示すように、第２の袋４０は、いわゆる四方シール袋であってもよい。この場合、第２の袋４０は、第１端部４３に形成された第１端部シール部４３ａ、第２端部４４に形成された第２端部シール部４４ａ、第１側縁４５に形成された第１側縁シール部４５ａ、及び、第２側縁４６に形成された第２側縁シール部４６ａを有する。
【００９６】
本変形例において、固定部６０は、一対の端部シール部４３ａ，４４ａ及び第２側縁シール部４６ａを構成する裏面第２フィルム５２を、第１の袋２０の表面第１フィルム３１に固定する。また、固定部６０は、第２の袋４０の第１側縁４５の第１側縁シール部４５ａを第１の袋２０に固定しない。このため、本変形例においても、使用者は、第１の袋２０と第２の袋４０との間に第１側縁４５から指を挿入することができる。
【００９７】
（第８変形例）
上述の第７変形例に示すタイプの第２の袋４０を、第１の袋２０の表面第１フィルム３１側及び裏面第１フィルム３２側の両方に設けてもよい。例えば、上述の第４変形例の場合と同様に、２個の充填部４２が画成された第２の袋４０を用いて、第１の袋２０の表面第１フィルム３１側及び裏面第１フィルム３２側のそれぞれに第２の袋４０の充填部４２を位置付けてもよい。
【００９８】
図２０Ａは、本変形例における袋体１０を第１の袋２０の表面側から見た場合を示す正面図であり、図２０Ｂは、本変形例における袋体１０を第１の袋２０の裏面側から見た場合を示す背面図である。第２の袋４０は、一の充填部４２が第１の袋２０の表面第１フィルム３１側に位置し、他の充填部４２が第１の袋２０の裏面第１フィルム３２側に位置するよう、第１の袋２０に固定されている。各充填部４２は、上述の第７変形例の場合と同様に、第１端部シール部４３ａ、第２端部シール部４４ａ、第１側縁シール部４５ａ、及び第２側縁シール部４６ａによって画成されている。
【００９９】
本変形例においても、固定部６０は、一対の端部シール部４３ａ，４４ａ及び第２側縁シール部４６ａを構成する裏面第２フィルム５２を、第１の袋２０の表面第１フィルム３１に固定する。また、固定部６０は、第２の袋４０の第１側縁４５の第１側縁シール部４５ａを第１の袋２０に固定しない。このため、本変形例においても、使用者は、第１の袋２０と第２の袋４０との間に第１側縁４５から指を挿入することができる。
【０１００】
（第９変形例）
上述の第８変形例においては、２個の充填部４２が形成され、且つ第１側縁シール部４５ａを有する第２の袋４０を用いる場合に、固定部６０が、第１側縁４５の第１側縁シール部４５ａを固定しない例を示したが、これに限られることはない。本変形例においては、固定部６０が、第１側縁４５の第１側縁シール部４５ａを第１の袋２０に固定するよう構成されている例について説明する。
【０１０１】
図２１は、本変形例における袋体１０を第１の袋２０の表面側から見た場合を示す正面図である。なお、本変形例による袋体１０の第２の袋４０には、２個の充填部４２が形成されている。一の充填部４２は、図２１に示すように、第１の袋２０の表面第１フィルム３１側に配置されている。また、図示はしないが、他の充填部４２は、第１の袋２０の裏面第１フィルム３２側に配置されている。
【０１０２】
図２１に示すように、第１の袋２０のシール部は、第１方向Ｄ１に沿って間隔を空けて配置された複数（ここでは２個）の突出シール部２６ｂを含む。突出シール部２６ｂは、第２側縁シール部２６ａから収容部２２の中心側へ突出している。また、第２側縁シール部２６ａには、表面第１フィルム３１及び裏面第１フィルム３２を貫通する貫通孔３０ｃが形成されている。本変形例においては、この貫通孔３０ｃを介して、第１の袋２０の表面第１フィルム３１側に位置する第２の袋４０の第１側縁シール部４５ａの一部と第１の袋２０の裏面第１フィルム３２側に位置する第２の袋４０の第１側縁シール部４５ａの一部とを連結することにより、第２の袋４０を第１の袋２０に固定している。
【０１０３】
本変形例による袋体１０において、使用者は、２個の貫通孔３０ｃの間の領域において、第１の袋２０と第２の袋４０との間に第１側縁４５から指を挿入することができる。
【０１０４】
（その他の変形例）
上述の本実施の形態及び各変形例においては、固定部６０が、ホットメルトなどの接着剤である例を示した。しかしながら、第２の袋４０を第１の袋２０に固定することができる限りにおいて、固定部６０の具体的な形態が特に限られることはない。例えば、固定部６０は、第２の袋４０の外面を第１の袋２０の外面に接触させた状態で第１の袋２０及び第２の袋４０に熱や超音波を加えることによって第２の袋４０の外面と第１の袋２０の外面とを溶着させることによって生じた部分であってもよい。
【０１０５】
上述の本実施の形態及び各変形例においては、スパウト２８が第１の袋２０の上縁２３と第１側縁２５との間の角部に形成される例を示した。しかしながら、これに限られることはなく、図示はしないが、スパウト２８が第１の袋２０の上縁２３や第１側縁２５に形成されていてもよい。
【０１０６】
上述の本実施の形態および各変形例において、第１の袋２０がガセット式の袋として構成されている例を示した。しかしながら、これに限られることはなく、図示はしないが、第１の袋２０は、三方シール袋、四方シール袋などの平パウチやピロー袋として構成されていてもよい。
【０１０７】
上述の本実施の形態においては、内容物が充填され収容部２２が密封された状態の第１の袋２０に、保形用物質が充填され充填部４２が密封された状態の第２の袋４０を固定する例を示したが、これに限られることはない。例えば、内容物が充填されていない状態の第１の袋２０に、保形用物質が充填され充填部４２が密封された状態の第２の袋４０を固定し、その後、第１の袋２０に内容物を充填してもよい。また、内容物が充填され収容部２２が密封された状態の第１の袋２０に、保形用物質が充填されていない状態の第２の袋４０を固定し、その後、第２の袋４０に保形用物質を充填してもよい。また、内容物が充填されていない状態の第１の袋２０に、保形用物質が充填されていない状態の第２の袋４０を固定し、その後、第１の袋２０への内容物の充填及び第２の袋４０への保形用物質の充填を行ってもよい。
【０１０８】
なお、袋体１０、第１の袋２０及び第２の袋４０の流通形態としては、以下のような形態が考えられる。
形態１：内容物が充填されていない状態の第１の袋２０に、保形用物質が充填されていない状態の第２の袋４０が固定された袋体１０が流通する形態。
形態２：内容物が充填されていない状態の第１の袋２０に、保形用物質が充填され  充填部４２が密封された状態の第２の袋４０が固定された袋体１０が流通する形態。
形態３：内容物が充填されていない状態の第１の袋２０と、保形用物質が充填されていない状態の第２の袋４０とがそれぞれ別個に流通する形態。
形態４：内容物が充填されていない状態の第１の袋２０と、保形用物質が充填され充填部４２が密封された状態の第２の袋４０とがそれぞれ別個に流通する形態。
【０１０９】
なお、上述した実施の形態に対するいくつかの変形例を説明してきたが、当然に、複数の変形例を適宜組み合わせて適用することも可能である。
【符号の説明】
【０１１０】
１０  袋体
２０  第１の袋
２２  収容部
２３  上縁
２３ａ  上縁シール部
２４  下縁
２４ａ  下縁シール部
２５  第１側縁
２５ａ  第１側縁シール部
２６  第２側縁
２６ａ  第２側縁シール部
２７  角部シール部
２８  スパウト
２８ａ  筒部
２８ｂ  接着部
２８ｃ  キャップ
３０ｃ  孔
３１  表面第１フィルム
３１ａ  外面
３１ｂ  内面
３２  裏面第１フィルム
３２ａ  外面
３２ｂ  内面
３３  底面第１フィルム
３３ａ  外面
３３ｂ  内面
３３ｃ  折り返し部
３６  基材層
３７  シーラント層
３８  機能層
４０  第２の袋
４２  充填部
４３  第１端部
４３ａ  第１端部シール部
４４  第２端部
４４ａ  第２端部シール部
４５  第１側縁
４６  第２側縁
４６ａ  第２側縁シール部
４７ａ  合掌シール部
５０  第２フィルム
５１  表面第２フィルム
５１ａ  外面
５１ｂ  内面
５２  裏面第２フィルム
５２ａ  外面
５２ｂ  内面
５６  基材層
５７  シーラント層
６０  固定部
【図１】
0006701560.tif 000002
【図２Ａ】
0006701560.tif 000003
【図２Ｂ】
0006701560.tif 000004
【図３】
0006701560.tif 000005
【図４】
0006701560.tif 000006
【図５】
0006701560.tif 000007
【図６】
0006701560.tif 000008
【図７】
0006701560.tif 000009
【図８】
0006701560.tif 000010
【図９】
0006701560.tif 000011
【図１０】
0006701560.tif 000012
【図１１】
0006701560.tif 000013
【図１２Ａ】
0006701560.tif 000014
【図１２Ｂ】
0006701560.tif 000015
【図１３】
0006701560.tif 000016
【図１４】
0006701560.tif 000017
【図１５】
0006701560.tif 000018
【図１６】
0006701560.tif 000019
【図１７】
0006701560.tif 000020
【図１８】
0006701560.tif 000021
【図１９】
0006701560.tif 000022
【図２０Ａ】
0006701560.tif 000023
【図２０Ｂ】
0006701560.tif 000024
【図２１】
0006701560.tif 000025